(57)【要約】【課題】ゴミが溜まることを防ぐ電子機器を提供する。【解決手段】筐体２と、筐体２の第１の面３に設けられた凹部４と、凹部４の内側において、第１位置から第２位置へ向かう第１方向へスライド可能なスライドカバー６を有するスライド部材８と、凹部４に設けられた、スライドカバー６が第２位置にあるときに露出するパネル９と、を備え、凹部４の壁面１０は、スライドカバー６が第１位置にあるとき、スライドカバー６の端部と接する第１接触面１０１と、パネル９の端部と接する第２接触面１０２と、第１接触面１０１と第２接触面１０２との間に、凹部４の外側に向かうにつれて傾斜が大きくなる曲面１０３と、を有する。【選択図】図１
2018200434.tif 000002
【特許請求の範囲】
【請求項１】
筐体と、
前記筐体の第１の面に設けられた凹部と、
前記凹部に設けられたスクリーンと、
前記凹部の内側において、前記スクリーンを露出しない第１位置から前記スクリーンを露出する第２位置へ向かう第１方向および前記第１方向とは逆方向である第２方向へスライドするスライドカバーを有する、スライド部材と、
前記凹部に設けられた、前記スライドカバーが前記第２位置にあるときに露出するパネルと、を備え、
前記凹部の壁面は、
前記スライドカバーが前記第１位置にあるとき、前記スライドカバーの端部と接する第１接触面と、
前記第１接触面と前記第１方向において異なる位置に設けられた、前記パネルの端部と接する第２接触面と、
前記第１接触面と前記第２接触面との間を接続する曲面と、を有し、
前記曲面は、前記凹部の外側に向かうにつれて傾斜が大きくなり、前記第１接触面と滑らかに接続する、
電子機器。
【請求項２】
筐体と、
前記筐体の第１の面に設けられた凹部と、
前記凹部の内側において、第１位置から第２位置へ向かう第１方向へスライド可能なスライドカバーを有するスライド部材と、
前記凹部に設けられた、前記スライドカバーが前記第２位置にあるときに露出するパネルと、を備え、
前記凹部の壁面は、
前記スライドカバーが前記第１位置にあるとき、前記スライドカバーの端部と接する第１接触面と、
前記パネルの端部と接する第２接触面と、
前記第１接触面と前記第２接触面との間に、前記凹部の外側に向かうにつれて傾斜が大きくなる曲面と、を有する、
電子機器。
【請求項３】
前記曲面は、前記第１接触面と滑らかに接続する、
請求項２に記載の電子機器。
【請求項４】
前記第２接触面は、前記第１接触面と前記第１方向において異なる位置に設けられる、
請求項２または３に記載の電子機器。
【請求項５】
前記パネルは、前記第１方向に対して平行に延在する複数の溝を有し、
前記複数の溝は、前記スライドカバーが前記第１位置および前記第２位置にあるとき露出しない、前記凹部と前記スライド部材との間の隙間に接続される、
請求項２から４のいずれか一項に記載の電子機器。
【発明の詳細な説明】
【技術分野】
【０００１】
本開示は、電子機器に関する。
【背景技術】
【０００２】
近年、スマートフォン、タブレット端末等の携帯型の電子機器は、例えばカメラ（撮像機能）を備えることが一般的である。このような電子機器は、カメラのレンズを開放又は遮蔽するために、スライド式のカバー（以下、スライドカバーという）を備えることがある。
【０００３】
例えば、特許文献１は、凹溝を有する擦れ傷緩和部が設けられていることにより、スライドカバーとの擦れ合いによる擦り傷が目立たない携帯電話を開示する。
【先行技術文献】
【特許文献】
【０００４】
【特許文献１】特開２００７−２９８７８５号公報
【発明の概要】
【発明が解決しようとする課題】
【０００５】
しかし、特許文献１は、例えばスライドカバーで覆われる隙間にゴミが入ることへの対策を開示するものではない。そのため、スライドカバーを移動させる機構（以下、スライド部材という）を備える電子機器には更なる改善の余地があった。
【０００６】
かかる事情に鑑みてなされた本開示の目的は、ゴミが溜まることを防ぐ電子機器を提供することにある。
【課題を解決するための手段】
【０００７】
一実施形態に係る電子機器は、筐体と、前記筐体の第１の面に設けられた凹部と、前記凹部に設けられたスクリーンと、前記凹部の内側において、前記スクリーンを露出しない第１位置から前記スクリーンを露出する第２位置へ向かう第１方向および前記第１方向とは逆方向である第２方向へスライドするスライドカバーを有する、スライド部材と、前記凹部に設けられた、前記スライドカバーが前記第２位置にあるときに露出するパネルと、を備え、前記凹部の壁面は、前記スライドカバーが前記第１位置にあるとき、前記スライドカバーの端部と接する第１接触面と、前記第１接触面と前記第１方向において異なる位置に設けられた、前記パネルの端部と接する第２接触面と、前記第１接触面と前記第２接触面との間を接続する曲面と、を有し、前記曲面は、前記凹部の外側に向かうにつれて傾斜が大きくなり、前記第１接触面と滑らかに接続する。
【０００８】
また、一実施形態に係る電子機器は、筐体と、前記筐体の第１の面に設けられた凹部と、前記凹部の内側において、第１位置から第２位置へ向かう第１方向へスライド可能なスライドカバーを有するスライド部材と、前記凹部に設けられた、前記スライドカバーが前記第２位置にあるときに露出するパネルと、を備え、前記凹部の壁面は、前記スライドカバーが前記第１位置にあるとき、前記スライドカバーの端部と接する第１接触面と、前記パネルの端部と接する第２接触面と、前記第１接触面と前記第２接触面との間に、前記凹部の外側に向かうにつれて傾斜が大きくなる曲面と、を有する。
【発明の効果】
【０００９】
本開示によれば、ゴミが溜まることを防ぐ電子機器を提供することができる。
【図面の簡単な説明】
【００１０】
【図１】一実施形態に係る電子機器の筐体およびスライド部材の概略構造図である。
【図２】スライドモジュールの概略構成図である。
【図３】一実施形態に係る電子機器で、スクリーンを露出した状態を例示する図である。
【図４】一実施形態に係る電子機器で、スクリーンを露出しない状態を例示する図である。
【図５】一実施形態に係る電子機器が備えるパネルの溝を説明するための図である。
【図６】一実施形態に係る電子機器の凹部の壁面を説明するための図である。
【図７】比較例の電子機器の凹部の壁面を説明するための図である。
【発明を実施するための形態】
【００１１】
（スライド部材の概略構造）
図１に示される一実施形態の電子機器１はスマートフォンである。代替例として電子機器１はスマートフォン以外の無線通信機能を備える携帯機器（携帯無線装置）でもよい。例えば、電子機器１は携帯電話端末、ファブレット、タブレットＰＣ、フィーチャーフォン、ＰＤＡ、リモコン端末、携帯音楽プレイヤー、ゲーム機、または電子書籍リーダ等でもよい。
【００１２】
図１は、電子機器１の筐体２、および、電子機器１が備えるスライド部材８を概略的に示す概略構造図である。スライド部材８は、スライドカバー６と、スライドモジュール７と、を含む。スライド部材８は、筐体２の第１の面３にある凹部４の内側に取り付けられる。
【００１３】
図１に示すように、本実施形態において、電子機器１の構成と対応した座標軸が定められている。電子機器１の使用時において、ユーザにとっての奥行き方向がｚ軸方向である。別の表現では、電子機器１の厚み方向がｚ軸方向である。そして、電子機器１の使用時において、レシーバー（スピーカー）およびタッチパネルディスプレイが設けられている電子機器１の表面から、電子機器１の背面への向きがｚ軸正方向である。図１に示す電子機器１の第１の面３は背面である。また、電子機器１の第１の面３の長手方向および短手方向が、それぞれｙ軸方向およびｘ軸方向である。電子機器１の長手方向に沿って、スクリーン５から遠い方の端部から、スクリーン５に近い方の端部への向きがｙ軸正方向になる。そして、右手系の座標系を構成するように、図１に示す向きにｘ軸正方向が定められている。
【００１４】
筐体２は電子機器１の外郭を構成する。筐体２は例えば樹脂で構成される。ここで、筐体２は金属部分を有していてもよい。例えば、筐体２は樹脂に金属がインサート成形されたものであってもよい。
【００１５】
筐体２の第１の面３に凹部４が設けられている。凹部４にスライド部材８が取り付けられた場合に、すなわち電子機器１が使用可能な完成品である場合に、スライドカバー６の外面６１は第１の面３と面一を成す。つまり、外面６１と第１の面３とがｚ軸方向の段差を生じないように、スライド部材８は凹部４に取り付けられる。ここで、スライドカバー６の外面６１は、ユーザによって触れられる面である。スライドカバー６は、外面６１の裏面である内面の一部がスライドモジュール７の可動部７０（図２参照）に取り付けられる。
【００１６】
凹部４は、第１領域１１、第２領域１２および隙間１３（隙間領域）に区分される。第１領域１１は、３つの領域のうち、最もＹ軸正方向側に位置する。第２領域１２は最もＹ軸負方向側に位置する。隙間１３は、第１領域１１および第２領域１２に挟まれた部分に生じる。
【００１７】
凹部４の第１領域１１には、スクリーン５およびパネル９が設けられている。ここで、本実施形態に係る電子機器１は撮像のためのカメラモジュールを内蔵する。つまり、電子機器１はカメラ（撮像機能）を有する。本実施形態において、スクリーン５は、カメラ、特にレンズを保護する部材である。スクリーン５は、透光性を有する板状の部材である。スクリーン５は、レンズの光が入射する側に（レンズのｚ軸正方向側に）設けられる。スクリーン５は、例えば透明なガラス製であってもよい。スクリーン５は、例えば透明な樹脂（例えばアクリル）製であってもよい。また、スクリーン５は、例えばサファイヤでできていてもよい。
【００１８】
パネル９は、第１領域１１のスクリーン５を除く部分に設けられる。パネル９は装飾材として使用される板状の部材である。パネル９は例えば樹脂製である。図１の例では、２つのパネル９は、スクリーン５に対してｘ軸正方向およびｘ軸負方向に隣接して設けられる。ここで、ユーザの指等がスクリーン５に誤って接触すること、およびスクリーン５の表面に傷がつくこと、を回避するために、スクリーン５とパネル９との間に段差が設けられていてもよい。つまり、スクリーン５はパネル９よりも奥側の位置（ｚ軸負方向側）に設けられてもよい。段差は一例として０．４［ｍｍ］である。
【００１９】
凹部４の第２領域１２は筐体２の一部を加工して作られている。本実施形態において、第２領域１２は、ｚ軸方向で第１領域１１のパネル９と同じ高さであるように作られる。また、本実施形態において、第２領域１２の表面（スライドカバー６と接する面）には、ｙ軸方向に対して平行に延在する複数の微細な凹溝（ヘアライン）が設けられている。ヘアラインは例えば０．０２［ｍｍ］の深さを有する。
【００２０】
凹部４の隙間１３は、筐体２とスライド部材８との間の空間である。スライド部材８が筐体２の凹部４に取り付けられた場合に、隙間１３が生じる。ここで、隙間１３は、スライド部材８が占める空間も含む。例えば隙間１３は、スライド部材８の可動部７０と固定部７１との間の空間を含む（図２参照）。
【００２１】
図２は、スライドモジュール７の概略構成を示す。スライドモジュール７は可動部７０と固定部７１とを備える。可動部７０は、固定部７１に設けられたレールに沿って移動する。固定部７１は筐体２に取り付けられて、可動部７０の移動方向を定める。本実施形態において、固定部７１は、レールがｙ軸に平行であるように筐体２に取り付けられる。つまり、可動部７０はｙ軸方向に沿って移動する。可動部７０にはスライドカバー６が取り付けられる。したがって、本実施形態において、スライドカバー６はｙ軸負方向（第１方向）およびｙ軸正方向（第２方向）へスライド可能である。
【００２２】
本実施形態において、スライドモジュール７の固定部７１は、ねじ穴７２に挿入されるねじによって筐体２に固定される。本実施形態において、ねじは凹部４の第１領域１１で止め付けられる。ユーザからねじ穴７２の部分が見えないようにするために、パネル９はねじ穴７２を覆うように設けられる。つまり、本実施形態において、２つのパネル９は、２つのねじ穴７２のｚ軸正方向側にそれぞれ設けられる。また、２つのねじ穴７２の間には、カメラモジュールのレンズおよびスクリーン５が設けられる。
【００２３】
（スライドカバー）
図３は、電子機器１でスクリーン５を露出した状態を例示する。ユーザは、スライドカバー６を押圧しながら、第１方向（ｙ軸負方向）へスライドさせる。スライドカバー６が第２位置にあるとき、スクリーン５およびパネル９を含む第１領域１１が露出する。電子機器１は、スライドカバー６が第２位置までスライドしたことを検知して、カメラ機能をオン（使用可能状態）にする。ここで、第２位置は、図３に示すように、スライドカバー６の下端（ｙ軸負方向側の端）が凹部４の下端（ｙ軸負方向側の端）に接する、または最も近付く位置である。
【００２４】
図４は、電子機器１でスクリーン５を露出しない状態を例示する。ユーザは、スライドカバー６を押圧しながら第２方向（ｙ軸正方向）へスライドさせる。スライドカバー６が第１位置にあるとき、第２領域１２が露出して、第１領域１１は露出しない。電子機器１は、スライドカバー６が第１位置までスライドしたことを検知して、カメラ機能をオフ（不使用状態）にする。ここで、第１位置は、図４に示すように、スライドカバー６の上端（ｙ軸正方向側の端）が凹部４の上端（ｙ軸正方向側の端）に接する、または最も近付く位置である。
【００２５】
本実施形態において、スクリーン５は電子機器１の背面側に搭載されたアウトカメラを保護する。ユーザは、アウトカメラを用いて撮影を行う場合に、スライドカバー６を第１方向へスライドさせて、カメラ機能をオンにする（図３参照）。また、ユーザは、アウトカメラによる撮影が終了すると、スライドカバー６を第２方向へスライドさせて、カメラ機能をオフにする（図４参照）。
【００２６】
（隙間のゴミについて）
上記のように、本実施形態に係る電子機器１は、スライドカバー６の外面６１と第１の面３とが面一をなす。つまり、電子機器１はいわゆるフルフラットのカバーを有する。電子機器１は、スライドカバー６を第１方向および第２方向（ｙ軸方向）にスライドさせるためのスライドモジュール７を筐体２の凹部４に格納する。スライドモジュール７は、ユーザに視認されないように、凹部４の第１領域１１および第２領域１２に挟まれた位置に格納される。そして、筐体２とスライド部材８との間に生じる隙間１３は、スライドカバー６の位置にかかわらず覆われて露出しない。
【００２７】
ここで、ユーザがスライドカバー６をスライドさせる際に、ほこり等のゴミが隙間１３に入り込むおそれがある。隙間１３にゴミが溜まると、レールに沿った可動部７０の円滑な動きが妨げられるおそれがある。また、隙間１３は、スライドカバー６が第１位置および第２位置にあるとき露出しない。そのため、ユーザが隙間１３に溜まったゴミを取り除くことは困難である。
【００２８】
ここで、特許文献１に開示されるカバーは、本実施形態におけるスライドモジュール７に相当する部材を用いていない。そのため、特許文献１に開示されるカバーには隙間１３が存在しないため、隙間１３に入り込むゴミへの対策は検討されていない。本実施形態に係る電子機器１は、特にパネル９が以下に述べる構成を有することによって、隙間１３にゴミが溜まることを防ぐことができる。
【００２９】
図５は、パネル９に設けられた溝９１を説明するための図である。図５は、図３のＡ−Ａ線に沿う断面図に対応する。パネル９の表面（スライドカバー６と接する面）は、複数の溝９１と複数の摺動面９２とを有する。複数の溝９１は、第１方向および第２方向（ｙ軸方向）に対して平行に延在する。また、複数の溝９１は第２領域１２に近い側において隙間１３に接続される。本実施形態において、複数の溝９１は、ｘ軸方向で等間隔に設けられている。
【００３０】
複数の摺動面９２は、第１方向および第２方向（ｙ軸方向）に対して平行に延在し、スライドカバー６と摺動する。また、複数の摺動面９２は、スライドカバー６の外面６１がｚ軸負方向への押圧を受けたとき、スライドカバー６を押圧の方向とは逆方向（ｚ軸正方向）に支持する。ここで、スライドカバー６の内面であって複数の摺動面９２に接する部分の少なくとも一部に、摩擦抵抗が小さい（摩擦係数が低い）素材が設けられていてもよい。摩擦抵抗が小さい素材は、例えばポリオキシメチレン（ＰＯＭ：Ｐｏｌｙｏｘｙｍｅｔｈｙｌｅｎｅ、ポリアセタール）またはフッ素樹脂等であってもよい。
【００３１】
本実施形態において、パネル９はＵ字型の溝９１を有する。溝９１は、摺動面９２を基準として、最深部までの深さｈを有する。溝９１の深さｈは例えば０．１〜０．３［ｍｍ］である。カメラ機能がオンのときに露出したパネル９の表面に付着したゴミ９３は、例えばスライドカバー６をスライドするためにユーザが第１の面３を上にすると、より低い位置にある溝９１に入る。ここで、ゴミ９３が肉眼で見えやすい０．５［ｍｍ］以上の大きさを有する場合、ゴミ９３の一部が溝９１に入る。つまり、ゴミ９３の他の部分は摺動面９２よりも上の（ｚ軸正方向の）部分に存在する。
【００３２】
ユーザがスライドカバー６を第１位置までスライドしてカメラ機能をオフにする場合に、スライドカバー６の上端（ｙ軸正方向側の端）は、ゴミ９３を溝９１に沿って、凹部４の上端（ｙ軸正方向側の端）に接する部分まで押し上げる。ここで、凹部４の上端の部分は、隙間１３とは異なりユーザが視認できる。そのため、ユーザは、ゴミ９３を容易に取り除くことができる。また、ユーザは、カメラ機能をオフにするという通常の操作によって、ゴミ９３を凹部４の上端に接する部分まで押し上げることができる。つまり、ユーザは、ゴミ９３を取り除くために特別な操作をする必要がない。
【００３３】
本実施形態に係る電子機器１は、筐体２と、筐体２の第１の面３に設けられた凹部４と、凹部４に設けられたスクリーン５と、凹部４の内側において、スクリーン５を露出しない第１位置からスクリーン５を露出する第２位置へ向かう第１方向（ｙ軸負方向）および第１方向とは逆方向である第２方向（ｙ軸正方向）へスライドするスライドカバー６を有する、スライド部材８と、を備える。凹部４は、スライドカバー６が第２位置にあるとき露出する第１領域１１と、スライドカバー６が第１位置および第２位置にあるとき露出しない、スライド部材８との間の隙間１３と、を有する。第１領域１１は、スクリーン５を除く部分（すなわちパネル９）に設けられた、第１方向および第２方向に対して平行に延在し、スライドカバー６と摺動する複数の摺動面９２と、第１方向および第２方向に対して平行に延在する複数の溝９１と、を有する。ここで、スライドカバー６の外面６１は、第１の面３と面一を成す。また、複数の摺動面９２は、外面６１が押圧を受けたとき、スライドカバー６を押圧の方向とは逆方向に支持する。また、複数の溝９１は、隙間１３に接続される。
【００３４】
本実施形態において、パネル９の表面に付着したゴミ９３は、複数の溝９１に落ちる。そして、ユーザは、カメラ機能をオフにするための通常のスライド操作によって、溝９１に沿ってゴミ９３を凹部４の上端付近まで押し上げる。そのため、本実施形態に係る電子機器１は、スライド部材８と筐体２との間の隙間１３にゴミが溜まることを防ぐことができる。
【００３５】
また、パネル９に設けられた複数の溝９１は、スライドカバー６と摺動する複数の摺動面９２と同じく、第１方向および第２方向（ｙ軸方向）に対して平行に延在する。そのため、仮にスライドカバー６との接触によって摺動面９２にｙ軸方向の擦れ傷がついても、複数の溝９１が存在するために擦れ傷が目立たなくなる。
【００３６】
（第１領域の断面）
また、本実施形態に係る電子機器１は、凹部４の断面（詳細にはｙｚ平面で切った断面）において、以下のような構成を有する。図６は、凹部４の壁面１０を説明するための図である。図６は、図４のＢ−Ｂ線に沿う断面図に対応する。また、本実施形態において、凹部４の壁面１０は、詳細には第１領域１１における壁面１０である。
【００３７】
図６に示すように、凹部４の壁面１０は、スライドカバー６が第１位置にあるとき、スライドカバー６の端部（ｙ軸正方向側の端部）と接する第１接触面１０１を有する。また、凹部４の壁面１０は、パネル９の端部（ｙ軸正方向側の端部）と接する第２接触面１０２を有する。ここで、第２接触面１０２は、第１接触面１０１と第１方向（または、第２方向、ｙ軸方向）において異なる位置に設けられている。また、凹部４の壁面１０は、第１接触面１０１と第２接触面１０２との間を接続する曲面１０３を有する。曲面１０３は、凹部４の外側（図６の例ではｙ軸正方向側）に向かうにつれて傾斜（図６の例ではｚ軸方向の成分）が大きくなり、第１接触面１０１と滑らかに接続する。
【００３８】
上記のように、パネル９の表面に付着したゴミ９３は、スライドカバー６によって溝９１に沿って凹部４の上端（ｙ軸正方向側の端）付近まで押し上げられる。図６に示すように、スライドカバー６によって押し上げられたゴミ９３は、曲面１０３の部分に集められる。
【００３９】
（比較例）
ここで、図７は比較例の電子機器の凹部４の壁面１０を説明するための図である。比較例の電子機器は、本実施形態に係る電子機器１と異なり、凹部４の壁面１０が曲面１０３を有さない。図７に示すように、比較例の電子機器の凹部４の壁面１０は、ｚ軸方向に繋がった第１接触面１０１と第２接触面１０２とを有する。言い換えると、比較例の電子機器では、第２接触面１０２は、第１接触面１０１と第１方向（または、第２方向、ｙ軸方向）において同じ位置に設けられている。そのため、比較例の電子機器では、スライドカバー６によって押し上げられたゴミ９３は第２接触面１０２の近傍に入り込む。比較例の電子機器の凹部４の壁面１０の構成では、第１接触面１０１よりも奥側の位置（ｚ軸負方向側）にある第２接触面１０２の近傍にゴミ９３が溜まりやすい。そのため、ユーザはゴミ９３を取り除くことが困難になり得る。
【００４０】
また、特許文献１に開示されるカバーでは、携帯電話の大型化を招くとして、パネル９に相当する部材は使用されない。つまり、特許文献１の技術では、カバーとの摺動面がケースと一体形成される。したがって、特許文献１では、ゴミ９３が第２接触面１０２の近傍に入り込むことへの対策は検討されていない。
【００４１】
これらに対し、本実施形態に係る電子機器１では、曲面１０３を備えるため、ゴミ９３が第２接触面１０２の近傍に入り込むことはない。ここで、本実施形態において、曲面１０３のｙ軸方向の幅（第１接触面１０１と第２接触面１０２とのｙ軸方向における位置の差）は０．５［ｍｍ］である。曲面１０３のｙ軸方向の幅は、０．５［ｍｍ］より大きくてもよい。また、本実施形態において、曲面１０３はいわゆるＲ面である。Ｒの値は一例として０．４５である。Ｒの値は０．４５より大きくてもよい。また、ゴミ９３が曲面１０３に集まるように、第２接触面１０２に接続される曲面１０３の一部は、溝９１の底部よりも低い位置に（ｚ軸負方向側に）あってもよい。
【００４２】
本実施形態に係る電子機器１は、筐体２と、筐体２の第１の面３に設けられた凹部４と、凹部４に設けられたスクリーン５と、凹部４の内側において、スクリーン５を露出しない第１位置からスクリーン５を露出する第２位置へ向かう第１方向（ｙ軸負方向）および第１方向とは逆方向である第２方向（ｙ軸正方向）へスライドするスライドカバー６を有する、スライド部材８と、凹部４に設けられた、スライドカバー６が第２位置にあるときに露出するパネル９と、を備える。凹部４の壁面１０は、スライドカバー６が第１位置にあるとき、スライドカバー６の端部と接する第１接触面１０１と、第１接触面１０１と第１方向において異なる位置に設けられた、パネル９の端部と接する第２接触面１０２と、第１接触面１０１と第２接触面１０２との間を接続する曲面１０３と、を有する。曲面１０３は、凹部４の外側に向かうにつれて傾斜が大きくなり、第１接触面１０１と滑らかに接続する。
【００４３】
本実施形態において、スライドカバー６によって、溝９１に沿って凹部４の上端付近まで押し上げられたゴミ９３は、曲面１０３の部分に集められる。そのため、本実施形態に係る電子機器１は、凹部４の壁面１０とパネル９の端部とが接する第２接触面１０２の近傍に、ゴミが溜まることを防ぐことができる。また、ゴミ９３が曲面１０３の部分に集められることによって、ユーザは容易にゴミ９３を取り除くことができる。
【００４４】
（その他の実施形態）
本開示を図面および実施形態に基づき説明してきたが、当業者であれば本開示に基づき種々の変形および修正を行うことが容易であることに注意されたい。したがって、これらの変形および修正は本開示の範囲に含まれることに留意されたい。例えば、各構成要素は論理的に矛盾しないように再配置可能であり、複数を１つに組み合わせたり、或いは分割したりすることが可能である。
【００４５】
上記の実施形態において、パネル９はＵ字型の溝９１、すなわち底部の断面が曲線である溝９１を有していた。ここで、パネル９は凹溝、すなわち底部の断面が側面部と直角を成す溝を有していてもよい。
【００４６】
また、上記の実施形態において、溝９１の深さｈは例えば０．１〜０．３［ｍｍ］であった。ここで、深さｈは電子機器１の使用環境に応じて異なっていてもよい。一例として、深さｈは主なゴミ９３の大きさの約半分に設定されてもよい。例えば、電子機器１が室外で使用されることが多い携帯電話端末等である場合に、ゴミ９３として細かい埃が多いことがある。埃が例えば０．１［ｍｍ］程度の大きさである場合に、溝９１の深さｈは０．０５［ｍｍ］等に設定されてもよい。また、例えば、電子機器１が室内で用いるリモコン端末等である場合に、ゴミ９３として綿埃が多いことがある。綿埃が例えば２［ｍｍ］程度の大きさである場合に、溝９１の深さｈは１［ｍｍ］等に設定されてもよい。
【００４７】
また、上記の実施形態において、第２領域１２の表面（スライドカバー６と接する面）には複数の微細な凹溝（ヘアライン）が設けられていた。ここで、第２領域１２の表面に、パネル９と同じように、複数の溝９１と複数の摺動面９２が設けられていてもよい。第２領域１２の表面の複数の溝９１は、第１領域１１に近い側において隙間１３に接続される。第２領域１２の表面に付着したゴミ９３は、ユーザがスライドカバー６を第２位置までスライドしてカメラ機能をオンにする場合に、第２領域１２の複数の溝９１に沿って凹部４の下端（ｙ軸負方向側の端）に接する部分まで押し下げられる。凹部４の下端の部分も、隙間１３とは異なりユーザが視認できる。そのため、ユーザは、ゴミ９３を容易に取り除くことができる。第２領域１２の表面に複数の溝９１が設けられることによって、隙間１３にゴミが溜まることが更に効果的に防止される。また、ユーザは、特別な動作等をする必要がなく、電子機器１が有する所定の機能をオンまたはオフするためのスライド動作を行うだけでよい。
【００４８】
また、上記の実施形態において、複数の溝９１は、ｘ軸方向で等間隔に設けられていた。ここで、複数の溝９１は、位置に応じて異なる間隔で設けられていてもよい。例えば、複数の溝９１は、凹部４の左端（ｘ軸負方向側の端）および右端（ｘ軸正方向側の端）に近付くにつれて溝９１の間隔が狭まってもよい。例えば、溝９１の間隔を位置に応じて異ならせることによって、電子機器１の装飾性を高めることが可能になる。
【００４９】
また、上記の実施形態において、複数の溝９１の深さｈは同じであった。ここで、複数の溝９１の深さｈは、位置に応じて異なる値が設定されてもよい。例えば、複数の溝９１は、凹部４の左端（ｘ軸負方向側の端）および右端（ｘ軸正方向側の端）に近付くにつれて溝９１の深さｈが浅くなるようにしてもよい。例えば、凹部４の左端および右端において細かい埃が溜まりやすい場合に、細かい埃も含めてゴミ９３を効率的に押し上げることが可能になる。
【００５０】
また、上記の実施形態において、曲面１０３はいわゆるＲ面であった。ここで、曲面１０３の部分は、Ｒ面に代わって、コーナー部分で面取りを行った、いわゆるＣ面で構成されていてもよい。ここで、曲面１０３の部分をいわゆるＬ面で構成することも可能である。
【００５１】
上記の実施形態に係る電子機器１は、複数の溝９１と複数の摺動面９２とを有するパネル９、および曲面１０３を有する凹部４の壁面１０を備えていた。ここで、電子機器１は、複数の溝９１等を有するパネル９、または曲面１０３を有する凹部４の壁面１０を備える構成であってもよい。例えば、電子機器１は、表面の全体が摺動面９２である（溝９１のない）パネル９に付着したゴミ９３をスライドカバー６によって押し上げて、押し上げられたゴミ９３を曲面１０３の部分に集めてもよい。このとき、ゴミ９３が曲面１０３に集まるように、第２接触面１０２に接続される曲面１０３の一部は、摺動面９２よりも低い位置に（ｚ軸負方向側に）あってもよい。
【００５２】
また、上記の実施形態において、スクリーン５はカメラモジュールのレンズを保護する部材であった。ここで、スクリーン５は、電子機器１が備えるセンサ等の要素を保護する部材であってもよい。例えば、電子機器１はＵＶセンサ、照度センサまたは近接センサ等を備えてもよい。また、スクリーン５は照明部材（例えばフラッシュ等）を保護する部材であってもよい。
【符号の説明】
【００５３】
１  電子機器
２  筐体
３  第１の面
４  凹部
５  スクリーン
６  スライドカバー
７  スライドモジュール
８  スライド部材
９  パネル
１０  凹部の壁面
１１  第１領域
１２  第２領域
１３  隙間
６１  外面
７０  可動部
７１  固定部
７２  ねじ穴
９１  溝
９２  摺動面
９３  ゴミ
１０１  第１接触面
１０２  第２接触面
１０３  曲面
【図１】
2018200434.tif 000003
【図２】
2018200434.tif 000004
【図３】
2018200434.tif 000005
【図４】
2018200434.tif 000006
【図５】
2018200434.tif 000007
【図６】
2018200434.tif 000008
【図７】
2018200434.tif 000009